(57)【要約】【課題】導光体と赤外光カット部材との対向する面同士が接しないようにすることを目的とする。【解決手段】照明装置は、光源４２と、光源４２からの光を導く導光体２２と、光源４２と導光体２２との間に配置される赤外光カット部材７０と、を備え、導光体２２と赤外光カット部材７０との少なくとも何れか一方は、導光体２２と赤外光カット部材７０との対向する面同士を接しないようにするために導光体２２と赤外光カット部材７０との少なくとも何れか一方の対向する面に凸部２７を有し、凸部２７は、光源４２が発する光の照射領域の外側に位置していることを特徴とする。【選択図】図４
2019029852.tif 000002
【特許請求の範囲】
【請求項１】
光源と、
前記光源からの光を導く導光体と、
前記光源と前記導光体との間に配置される赤外光カット部材と、を備え、
前記導光体と前記赤外光カット部材との少なくとも何れか一方は、前記導光体と前記赤外光カット部材との対向する面同士を接しないようにするために前記導光体と前記赤外光カット部材との少なくとも何れか一方の前記面に凸部を有し、
前記凸部は、前記光源が発する光の照射領域の外側に位置していることを特徴とする照明装置。
【請求項２】
光源と、
前記光源からの光を導く導光体と、
前記光源と前記導光体との間に配置される赤外光カット部材と、を備え、
前記導光体と前記赤外光カット部材との少なくとも何れか一方は、前記導光体と前記赤外光カット部材との対向する面同士を接しないようにするために前記導光体と前記赤外光カット部材との少なくとも何れか一方の前記面に凹部を有し、
前記凹部は、前記光源が発する光の照射領域に位置していることを特徴とする照明装置。
【請求項３】
前記赤外光カット部材は、基材と、赤外光カット膜とを有し、
前記基材、前記赤外光カット膜、前記導光体の順で配置されていることを特徴とする請求項１または２に記載の照明装置。
【請求項４】
前記基材は、第１の無機物であり、
前記赤外光カット膜は、第２の無機物であることを特徴とする請求項３に記載の照明装置。
【請求項５】
前記光源は、発光素子と、前記発光素子が配置される筐体とを有し、
前記発光素子は、前記筐体の凹状の収容部に配置されていることを特徴とする請求項１ないし４の何れか１項に記載の照明装置。
【請求項６】
前記光源は、白色の光を発することを特徴とする請求項１ないし５の何れか１項に記載の照明装置。
【請求項７】
被照明体を照明する請求項１ないし６の何れか１項に記載の照明装置と、
前記被照明体において反射された光を結像する集光体と、
前記集光体によって結像された光を電気信号に変換するセンサと、を備えていることを特徴とするセンサユニット。
【請求項８】
請求項７に記載のセンサユニットと、
前記センサユニットと前記被照明体との少なくとも何れか一方を相対的に移動させる移動手段と、を備えていることを特徴とする読取装置。
【請求項９】
前記被照明体は、紙葉類であることを特徴とする請求項８に記載の紙葉類読取装置。
【請求項１０】
請求項７に記載のセンサユニットと、
前記センサユニットと前記被照明体との少なくとも何れか一方を相対的に移動させる移動手段と、
前記センサにより読取られた画像を記録媒体に形成する画像形成手段と、を備えていることを特徴とする画像形成装置。
【発明の詳細な説明】
【技術分野】
【０００１】
本発明は、照明装置、センサユニット、読取装置、紙葉類読取装置および画像形成装置に関する。
【背景技術】
【０００２】
導光体の長手方向に亘って光を出射する照明装置が知られている。特許文献１には、導光部材と光源との間に分光特性調整手段が配置された照明装置が開示されている。特許文献１の分光特性調整手段は、ガラス製の基材に赤外光を反射する多層膜が設けられ、光源から出射した光の赤外成分をカットする。
【先行技術文献】
【特許文献】
【０００３】
【特許文献１】特開２０１４−１７５７０８号公報
【発明の概要】
【発明が解決しようとする課題】
【０００４】
しかしながら、特許文献１の照明装置は、導光部材と、赤外成分をカットする部材とが密着して構成されている。したがって、衝撃や振動によって導光部材と赤外成分をカットする部材とが相対的に動いた場合に、導光部材と赤外成分をカットする部材との対向する面同士が接してしまい、接した跡が残ってしまう。このように接した跡が残ってしまうと、導光部材から出射される光量が低下したり、漏れ光が生じたりする虞がある。
本発明は、上述したような問題点に鑑みてなされたものであり、導光体と赤外光カット部材との対向する面同士が接しないようにすることを目的とする。
【課題を解決するための手段】
【０００５】
本発明の照明装置は、光源と、前記光源からの光を導く導光体と、前記光源と前記導光体との間に配置される赤外光カット部材と、を備え、前記導光体と前記赤外光カット部材との少なくとも何れか一方は、前記導光体と前記赤外光カット部材との対向する面同士を接しないようにするために前記導光体と前記赤外光カット部材との少なくとも何れか一方の前記面に凸部を有し、前記凸部は、前記光源が発する光の照射領域の外側に位置していることを特徴とする。
本発明の照明装置は、光源と、前記光源からの光を導く導光体と、前記光源と前記導光体との間に配置される赤外光カット部材と、を備え、前記導光体と前記赤外光カット部材との少なくとも何れか一方は、前記導光体と前記赤外光カット部材との対向する面同士を接しないようにするために前記導光体と前記赤外光カット部材との少なくとも何れか一方の前記面に凹部を有し、前記凹部は、前記光源が発する光の照射領域に位置していることを特徴とする。
本発明のセンサユニットは、被照明体を照明する前記照明装置と、前記被照明体において反射された光を結像する集光体と、前記集光体によって結像された光を電気信号に変換するセンサと、を備えていることを特徴とする。
本発明の読取装置は、前記センサユニットと、前記センサユニットと前記被照明体との少なくとも何れか一方を相対的に移動させる移動手段と、を備えていることを特徴とする。
本発明の紙葉類読取装置は、前記被照明体が紙葉類であることを特徴とする。
本発明の画像形成装置は、前記センサユニットと、前記センサユニットと前記被照明体との少なくとも何れか一方を相対的に移動させる移動手段と、前記センサにより読取られた画像を記録媒体に形成する画像形成手段と、を備えていることを特徴とする。
【発明の効果】
【０００６】
本発明によれば、導光体と赤外光カット部材との対向する面同士が接しないようにすることができる。
【図面の簡単な説明】
【０００７】
【図１】図１は、イメージセンサユニットの分解斜視図である。
【図２】図２は、イメージセンサユニットの一部を拡大した分解斜視図である。
【図３】図３は、イメージセンサユニットの断面図である。
【図４】図４は、第１の実施形態のイメージセンサユニットの断面図である。
【図５】図５は、図４の一部を拡大した断面図である。
【図６】図６は、図５の光源の周辺を拡大した断面図である。
【図７】図７は、照射領域を導光体の端面に投影させた図である。
【図８】図８は、第１の実施形態のイメージセンサユニットの変形例を示す断面図である。
【図９】図９は、第２の実施形態のイメージセンサユニットの断面図である。
【図１０】図１０は、フラットベッド方式のスキャナの構成を示す斜視図である。
【発明を実施するための形態】
【０００８】
以下、本発明に係る実施形態について、図面を参照して詳細に説明する。本実施形態は、照明装置と、この照明装置が適用されるイメージセンサユニット（イメージセンサ）１０と、このイメージセンサユニット１０が適用される画像読取装置（読取装置）および画像形成装置である。画像読取装置および画像形成装置では、イメージセンサユニット１０が被照明体としての原稿Ｐに光を照射し、反射光を電気信号に変換することで画像を読取る（反射読取）。なお、被照明体は原稿Ｐに限られず、紙幣等の読取対象物に対しても適用できる。また、原稿Ｐを透過した透過光を電気信号に変換することで画像を読取る透過読取であっても適用できる。
以下の説明においては、三次元の各方向を、Ｘ，Ｙ，Ｚの各矢印で示す。Ｘ方向が後述する導光体の長手方向であり、例えば主走査方向である。Ｙ方向が主走査方向に直角な副走査方向である。Ｚ方向が垂直方向（上下方向）である。
【０００９】
（第１の実施形態）
まず、第１の実施形態に係るイメージセンサユニット１０の全体構成について、図１〜図３を参照して説明する。図１はイメージセンサユニット１０の構成の一例を示す分解斜視図である。図２はイメージセンサユニット１０の構成の一部を拡大した分解斜視図である。図３はイメージセンサユニット１０を主走査方向に直交する面で切断して主走査方向から見た断面図である。
【００１０】
イメージセンサユニット１０は、フレーム１１と、導光ユニット２０、光源ユニット４０、集光体６０、センサ基板６２、イメージセンサ（センサあるいはラインセンサ）６５、赤外光カット部材７０等を有する。なお、導光ユニット２０の後述する導光体２２および光源ユニット４０の後述する光源４２は、原稿Ｐに対して線状化した光を出射する照明装置として機能する。すなわち、イメージセンサユニット１０には照明装置としての機能が含まれる。
【００１１】
フレーム１１はイメージセンサユニット１０の上述した各構成部材を収容する。フレーム１１は、例えば、ポリカーボネート等の樹脂材料で形成される。フレーム１１は、遮光性を有するように、例えば黒色に着色される。フレーム１１は主走査方向を長手方向とする略直方体であり、内部に各構成部材を位置決めして支持できるように形成される。図３に示すように、フレーム１１の略中央には、集光体６０を収容する集光体収容部１２が主走査方向に沿って形成される。また、フレーム１１には集光体収容部１２を挟んだ両側に導光ユニット２０を収容する導光収容部１３が主走査方向に沿って形成される。また、フレーム１１の下側には、センサ基板６２を配置するための基板収容部１４が主走査方向に沿って形成される。集光体収容部１２と基板収容部１４の間には、集光体６０を通過した光が通過可能なスリット状の光路１５が形成される。
【００１２】
導光ユニット２０は、主走査方向の一方側および主走査方向の他方側から入射される光源ユニット４０からの光を原稿Ｐに導く。本実施形態の導光ユニット２０は、並列して配置される２つの導光部２１Ａ、２１Ｂを有する。導光部２１Ａ、２１Ｂは、図１に示す集光体６０の光軸Ｚを中心にして対称な略同一の構成である。ここでは主に導光部２１Ａについて説明する。
【００１３】
導光部２１Ａは、導光体２２と、導光体カバー３０とを有する。
導光体２２は、光源ユニット４０からの光を原稿Ｐに出射する。導光体２２は、例えば、アクリル系の透明な樹脂材料で形成される。導光体２２は、主走査方向を長手方向とする略棒状である。
導光体２２は、主走査方向の両端部のうち一方側の端部に、後述する光源４２の発する光が入射する入射面２３を有する。入射面２３は、主走査方向に対して直交する面である。また、導光体２２は、原稿Ｐと対向する位置に、導光体２２内に入射した光が原稿Ｐに向かって線状に出射する出射面２４を有する。出射面２４は、上側に凸状の円弧状に形成される。また、導光体２２は、出射面２４の反対側の位置に、入射面２３から入射された光を拡散させたり、導光体２２の長手方向に導光させたりする拡散面２５を有する。拡散面２５には、長手方向に間隔をあけて複数のプリズム状の拡散部が形成される。拡散部は導光体２２を長手方向に導光された光を拡散させる。拡散された光は、導光体カバー３０により反射されることで、導光体２２の出射面２４から原稿Ｐに向かって出射される。
【００１４】
また、出射面２４および拡散面２５以外の面は、それぞれ入射された光を反射させて導光体２２の長手方向に導光させる導光面として機能する。また、導光体２２は、一方側の端部に係止部として係止突起２６が一体で形成される。係止突起２６は、導光面から導光体２２の長手方向に対して直交する方向、具体的には副走査方向に突出する。係止突起２６は、突出する方向から見て略矩形状である。また、係止突起２６の一方側の端面と導光体２２の入射面２３との間は段差がなく連続した平坦な面である。
【００１５】
導光体カバー３０は、導光体２２の一部を長手方向に沿って覆うことで導光体２２で導光あるいは拡散された光を導光体２２に戻すように反射させる。導光体カバー３０は、例えば、ポリカーボネート等の樹脂材料で形成される。導光体カバー３０は、光の反射率を向上させるために、例えば白色に着色される。導光体カバー３０は、導光体２２よりも主走査方向に長い棒状である。
導光体カバー３０は、本体部３１と、遮光部３３とを有する。
本体部３１は、主走査方向を長手方向とする略棒状である。本体部３１は、主走査方向から見ると、集光体６０が配置される側に開口する断面略Ｃ字状である。本体部３１の内側面３２（断面略Ｃ字状の内側の面）のうち、導光体２２の拡散面２５と対向する面は、拡散面２５の拡散部により拡散された光を再び拡散面２５から導光体２２に戻すように反射させる反射面として機能する。また、内側面３２のうち、導光体２２の出射面２４と対向する面は、導光体２２の出射面２４から出射する光の一部を遮光して、原稿Ｐに向かって出射させる光の方向を規制する遮光面として機能する。
【００１６】
遮光部３３は、光源部４１Ａからの光が導光体２２の入射面２３に入射するときに外部に漏れないように遮光する。遮光部３３は、本体部３１の主走査方向の一方側の端部に位置する。遮光部３３は、外形が略矩形状である。
遮光部３３は、導光体２２の一方側の端部の外周を覆う孔３４を有する。孔３４は、導光体２２の断面形状に略一致する形状である。また、遮光部３３は、孔３４に隣接した位置に被係止部としての係止溝３５を有する。係止溝３５に導光体２２の係止突起２６が嵌め込まれることで、係止突起２６が係止溝３５に係止させる。また、遮光部３３は、赤外光カット部材７０を収容する収容部３６を有する。収容部３６は、遮光部３３の一方側の端面から主走査方向に凹んで形成される。また、遮光部３３は、一方側の端面から突出する位置決め部としての位置決め突起３７を有する。位置決め突起３７は、後述する光源基板４７の位置合わせ孔５０に結合されることで、導光体カバー３０を介して導光体２２と光源４２とが位置決めされる。
【００１７】
光源ユニット４０は、光を発することで導光ユニット２０を介して原稿Ｐに光を出射する。本実施形態の光源ユニット４０は、２つの光源部４１Ａ、４１Ｂを有する。光源部４１Ａは導光部２１Ａの主走査方向における一方側の端部に配置され、光源部４１Ｂは導光部２１Ｂの主走査方向における他方側の端部に配置される。光源部４１Ａ、４１Ｂは、図１に示す集光体６０の光軸Ｚを中心にして対称な略同一の構成である。ここでは、主に光源部４１Ａについて説明する。
【００１８】
光源部４１Ａは、光源４２と、光源基板４７とを有する。
光源４２は、発光素子としてのＬＥＤチップ４３を有し、いわゆるトップビュータイプの表面実装型のＬＥＤパッケージが適用できる。具体的に、光源４２は、ＬＥＤチップ４３と、ＬＥＤチップ４３を配置する筐体４４と、封止樹脂４６とを有する（図２に示す光源部４１Ｂを参照）。筐体４４は凹状の収容部４５が形成される。ここで、収容部４５を形成する周囲の壁が筐体４４のスリットとして機能する。筐体４４のスリットは、ＬＥＤチップ４３が発した光の一部を遮る。スリットは、光源４２が発する光の照射領域を決定する。収容部４５内にはＬＥＤチップ４３が配置される。また、収容部４５は矩形状の開口縁を有する。封止樹脂４６は、収容部４５内に充填され、ＬＥＤチップ４３を封止する。本実施形態では、ＬＥＤチップ４３には青色の波長の光を発するものが適用され、封止樹脂４６には黄色の蛍光体を含んだ樹脂が適用される。したがって、光源４２は白色の光を発し、発する光には赤外の波長の光である赤外光が含まれる。
なお、ＬＥＤチップ４３は、赤外光を含むものであればよい。例えば、可視光を発するＬＥＤチップであって赤外光が含まれているものや、可視光を発するＬＥＤチップと赤外光を発するＬＥＤチップをそれぞれ有しているものであってもよい。
また、光源４２は、少なくとも、ＬＥＤチップ４３等の発光素子とスリットとを有していればよい。この場合、発光素子とスリットとは１つの部品に備わっていてもよく、別体であってもよい。別体の場合であっても、発光素子とスリットとを含めて光源という。
【００１９】
光源基板４７は光源４２を実装する。光源基板４７は、例えば、ガラスエポキシ基板やフレキシブル基板が適用できる。光源基板４７は、上側が実装部４８であり、下側が接続部４９である。実装部４８の実装面は、主走査方向に対して直交する。実装部４８は、予め光源４２が所定の位置に半田付け等によって実装される。また、実装部４８は、導光体カバー３０の位置決め突起３７が挿入される被位置決め部としての位置決め孔５０が形成される。接続部４９は、センサ基板６２の後述する接続孔６４に接続される。接続部４９は、センサ基板６２と電気的に接続するための外部接続用パッド５１が形成される。なお、接続部４９には図示しない回路パターンが形成され、光源４２と外部接続用パッド５１とが電気的に接続される。
【００２０】
集光体６０は、原稿Ｐにより反射された光をイメージセンサ６５上に結像する光学部材である。集光体６０は、例えばロッドレンズアレイが適用できる。ロッドレンズアレイは、複数の正立等倍結像型の結像素子（ロッドレンズ）が主走査方向に直線状に配列して構成される。なお、集光体６０は、イメージセンサ６５上に結像できればよく、上述した構成に限定されない。集光体６０には各種マイクロレンズアレイ等、公知の各種集光機能を有する光学部材が適用できる。
【００２１】
センサ基板６２は、主走査方向に長い平板状に形成される。センサ基板６２の実装面６３は、上下方向に対して直交する。センサ基板６２の実装面６３上には、イメージセンサ６５を実装したり、光源４２を発光させたりイメージセンサ６５を駆動させたりするための駆動回路等を実装したりする。また、センサ基板６２の主走査方向の一方側の端部および他方側の端部には光源基板４７が挿入される接続孔６４が形成される。
【００２２】
イメージセンサ６５は、センサ基板６２に実装され、集光体６０の下側に配置される。イメージセンサ６５は、イメージセンサユニット１０の読取りの解像度に応じた複数の光電変換素子から構成されるイメージセンサＩＣ６６の所定数を実装面６３上に主走査方向に直線状に配列して実装される。イメージセンサ６５は、原稿Ｐにより反射された光が集光体６０によって結像された光を受光して電気信号に変換する。なお、イメージセンサ６５は、原稿Ｐからの光を電気信号に変換できるものであればよく、上述した構成に限定されない。イメージセンサＩＣ６６には、公知の各種イメージセンサＩＣが適用できる。
また、イメージセンサ６５は、受光した光に赤外光が含まれている場合には赤外光を検出して電気信号に変換してしまう。すなわち、赤外光を検出するとノイズの要因になってしまい、画像を読取る精度が低下してしまう。
【００２３】
赤外光カット部材７０は、光源４２が発する光のうち赤外光を遮断する。赤外光カット部材７０は、導光体カバー３０の遮光部３３の収容部３６に収容可能であって、略矩形の薄板状である。赤外光カット部材７０は、光源４２と導光体２２との間に配置される。赤外光カット部材７０は、光源４２の発する光が導光体２２の入射面２３に入射される前に赤外光を遮断することで、導光体２２の出射面２４から出射された光に赤外光が含まないようにすることができる。このように、導光体２２の出射面２４に入射される前に赤外光を遮断することで、導光体２２の出射面２４から出射された後に赤外光を遮断する場合に比べて、赤外光カット部材７０のサイズを小さくすることができる。
本実施形態の赤外光カット部材７０は、基材７１の表面に赤外光カット膜としての蒸着膜７２を形成することで構成される。ここで、基材７１には、例えば、無機物であるガラスが適用できる。なお、基材７１はガラスである場合に限られず、例えばアクリル等の透明な樹脂材料が適用できる。また、蒸着膜７２には、例えば、無機物である酸化チタン（ＴｉＯ2）や二酸化ケイ素（ＳｉＯ2）が適用できる。このような、蒸着膜７２を有する赤外光カット部材７０は、赤外光を反射させることで遮断する。
なお、赤外光カット部材７０は、蒸着膜７２を有する場合に限られず、基材７１のみから構成され、基材７１自体が赤外光を吸収することで赤外光を遮断する赤外光カットフィルムや赤外光カットガラスが適用できる。また、赤外光カット部材７０は、赤外光を遮断するものに限られず、赤外光の量を低減できるものであればよい。赤外光の量が低減していることは、光源４２から出た光の赤外光の量と赤外光カット部材７０を通過した光の赤外光の量を比較することで確認することができる。
【００２４】
次に、上述したように構成されるイメージセンサユニット１０の組み立て方法について説明する。
まず、イメージセンサユニット１０の構成部材を用意する。このとき、予め光源基板４７には光源４２を所定の位置に実装し、センサ基板６２にはイメージセンサ６５、駆動回路等を所定の位置に実装する。
【００２５】
次に、導光体２２の他方側の端部が先頭にして導光体２２を導光体カバー３０の遮光部３３の孔３４に挿入する。導光体２２を導光体カバー３０に最後まで挿入することにより導光体２２の係止突起２６が遮光部３３の係止溝３５に係止される。このように係止突起２６を係止溝３５に係止することで導光部２１Ａおよび導光部２１Ｂを構成する。なお、環境温度により導光体２２が長手方向に伸縮する場合、導光体２２の係止溝３５に係止されている側である入射面２３が固定端となり、反対側の端面が自由端となる。
次に、導光体カバー３０の遮光部３３の収容部３６に赤外光カット部材７０を収容する。このとき、赤外光カット部材７０の基材７１の表面に形成された蒸着膜７２が導光体２２の入射面２３と対向するように配置する。
【００２６】
次に、導光部２１Ａ、導光部２１Ｂの導光体カバー３０の突起３７を光源部４１Ａ、４１Ｂの光源基板４７の位置決め孔５０に挿入する。光源基板４７の実装面を導光体カバー３０に当接させた状態で、位置決め孔５０から露出している突起３７の先端を熱カシメすることで、導光部２１Ａ、２１Ｂと光源基板４７とが位置決めされた状態で結合される。導光部２１Ａ、２１Ｂと光源基板４７とが結合された状態では、光源４２と赤外光カット部材７０の基材７１とが対向し、赤外光カット部材７０の蒸着膜７２と導光体２２の入射面２３とが対向する。すなわち、基材７１、蒸着膜７２、導光体２２の順で配置される。したがって、光源４２からの光は赤外光カット部材７０により赤外光が遮断されて導光体２２の入射面２３に入射される。
【００２７】
次に、導光部２１Ａと導光部２１Ｂとを導光収容部１３に収容すると共に、集光体６０を集光体収容部１２に収容して、それぞれ接着剤等を用いてフレーム１１に固定する。次に、センサ基板６２を下側から基板収容部１４に収容する。このとき、光源基板４７の接続部４９をセンサ基板６２の接続孔６４に挿入し、接続孔６４から露出している外部接続用パッド５１とセンサ基板６２とを半田付け等によって接続する。また、センサ基板６２はフレーム１１に対して接着剤や熱カシメすることで固定する。なお、光源４２は収容部４５の開口縁の矩形が副走査方向および上下方向に略平行になるように位置する。
このように組み立てることで、イメージセンサユニット１０の各構成部材がフレーム１１内の所定の位置に位置決めして支持される。
【００２８】
次に、イメージセンサユニット１０の読取動作について説明する。ここでは、図３に示すように、被照明体載置部としてのプラテンガラス１０２に載置された原稿Ｐを読取るものとする。
まず、光源部４１Ａ、４１Ｂの光源４２は、赤外光を含む白色の光を発する。光源４２が発した光は赤外光カット部材７０を通って導光体２２の入射面２３に入射される。このとき、赤外光カット部材７０が赤外光を遮断することから、赤外光を含まない光が導光体２２に入射される。導光体２２に入射された光は、導光体２２の導光面によって長手方向に反射されながら出射面２４から原稿Ｐの読取ラインＯに向けて出射される。導光体２２の出射面２４は主走査方向に長い形状であるため、出射面２４から出射される光は主走査方向に長い線状光となる。原稿Ｐによって反射された光は、集光体６０により集光されイメージセンサ６５に結像される。イメージセンサ６５は、集光体６０によって結像された光を検出して電気信号に変換する。なお、赤外光カット部材７０によって赤外光が遮断されていることから、イメージセンサ６５によって検出される光にはノイズの要因となる赤外光が検出されない。
イメージセンサユニット１０は、原稿Ｐに光を出射して反射される光を検出する動作を、原稿Ｐに副走査方向に相対的に移動しながら、短時間で周期的に繰り返す。このような動作によって、イメージセンサユニット１０は原稿Ｐの画像を読取る。
【００２９】
本実施形態のイメージセンサユニット１０は、赤外光カット部材７０を光源４２と導光体２２との間に配置している。ここで、イメージセンサユニット１０が振動したり、衝撃が加わったりした場合に、導光体２２と赤外光カット部材７０とが相対的に動いてしまうことがある。このとき、導光体２２と赤外光カット部材７０との対向する面同士が接してしまうと、何れかの面に接した跡がついてしまい、導光体２２から出射される光量が低下したり、漏れ光が生じたりすることが想定される。特に、本実施形態の赤外光カット部材７０は、蒸着膜７２が導光体２２に対向していることから導光体２２が接してしまうと、蒸着膜７２が剥がれてしまい、赤外光カット部材７０が赤外光を遮断する効率が低下してしまう。
【００３０】
そこで、本実施形態の導光体２２は、導光体２２と赤外光カット部材７０との対向する面同士が接しないようにするための凸部２７を有する。また、凸部２７は、光源４２からの光が照射されないように光源４２が発する光の照射領域の外側に位置している。
ここで、具体的に、凸部２７について図２および図４を参照して説明する。ここでは、導光部２１Ａおよび光源部４１Ａ側の構成について説明するが、導光部２１Ｂおよび光源部４１Ｂ側でも同様の構成である。
図４は、図３に示すＩ−Ｉ線に沿った平面で切断して、上側から見た断面図である。Ｉ−Ｉ線に沿った平面は上下方向に直交し、光源４２のＬＥＤチップ４３を通る面である。
図２および図４に示すように、凸部２７は導光体２２の一方側の端面に、赤外光カット部材７０側に向かって突出するように形成される。本実施形態では、凸部２７は球の一部の形をした形状（図４に示す平面視において円弧状）である。ただし、凸部２７の形状は、この場合に限られず、赤外光カット部材７０に接したときに赤外光カット部材７０に接した跡がつきにくい形状であればよく、例えば、入射面２３と平行に突出するような形状であってもよい。更に、凸部２７が配置される位置は、光源４２が発する光の照射領域の外側である。照射領域とは、ＬＥＤチップ４３から直接的に照射される光の領域をいう。すなわち、本実施形態では、ＬＥＤチップ４３から照射された光のうち筐体４４の収容部４５のスリットを直接、通って照射された光の領域をいう。したがって、照射領域には、ＬＥＤチップ４３から照射され、筐体４４の収容部４５によって反射された光、赤外光カット部材７０によって反射された光、および、導光体２２の入射面２３によって反射された光の領域は含まれない。
【００３１】
ここで、光源４２が発する光の照射領域について説明する。
図５は、図４の一部を拡大して光源４２が発する光の照射領域Ｒ１の一例を示した断面図である。図５では照射領域Ｒ１をグレーで表している。ここで、光源４２のＬＥＤチップ４３は筐体４４の凹状の収容部４５内に配置されることから、ＬＥＤチップ４３が発する光は収容部４５の開口縁によって照射方向が規制される。すなわち、図５に示す平面視において、光源４２が発する光の照射領域Ｒ１は略扇状に広がるような形状となる。
【００３２】
なお、本実施形態の照射領域Ｒ１は、ＬＥＤチップ４３とＬＥＤチップ４３からの光を遮光する筐体４４の収容部４５との位置関係から定めることができる。
図６は、図５のうち光源４２の周辺を拡大した断面図である。
図６に示すように、照射領域Ｒ１は副走査方向の一方側の境界線Ｂ１が、ＬＥＤチップ４３の副走査方向の他方側の端部Ｐ１と、収容部４５の副走査方向の一方側の開口縁Ｅ１とを繋ぐ直線を延長させた線である。一方、照射領域Ｒ１の副走査方向の他方側の境界線Ｂ２が、ＬＥＤチップ４３の副走査方向の一方側の端部Ｐ２と、収容部４５の副走査方向の他方側の開口縁Ｅ２とを繋ぐ直線を延長させた線である。照射領域Ｒ１は、境界線Ｂ１と境界線Ｂ２とにより囲まれる領域となる。
【００３３】
ただし、図５に示す照射領域Ｒ１は平面であるが、実際の照射領域は立体的な領域である。ここで、立体的な照射領域ＴＲを定めるには、副走査方向に対して直交する平面であって光源４２のＬＥＤチップ４３を通る面で切断して、副走査方向から見た断面を用いて、図６と同様な方法で照射領域Ｒ２を定める。照射領域Ｒ２は、照射領域Ｒ１に直交する平面となる。
次に、照射領域Ｒ１を収容部４５の開口縁のうち上下方向に沿った開口縁と平行に上下に移動させたときの立体的な軌跡を第１の軌跡領域とする。また、照射領域Ｒ２を収容部４５の開口縁のうち副走査方向に沿った開口縁と平行に副走査方向に移動させたときの立体的な軌跡を第２の軌跡領域とする。ここで、第１の軌跡領域と第２の軌跡領域とが重なり合う領域が立体的な照射領域ＴＲとなる。
【００３４】
本実施形態の凸部２７は、導光体２２の一方側の端面のうち照射領域ＴＲの外側、すなわち照射領域ＴＲとは重ならないように配置される。図７は、立体的な照射領域ＴＲを導光体２２の一方側の端面に投影させた一例を示す図である。本実施形態の光源４２の収容部４５の開口縁は、矩形であることから導光体２２の端面において投影された照射領域ＴＲの形状も矩形となる。凸部２７は、導光体２２の端面に投影された照射領域ＴＲの外側に位置する。
このように、凸部２７を導光体２２の一方側の端面のうち照射領域ＴＲの外側に配置することで、凸部２７が赤外光カット部材７０に接して赤外光カット部材７０に接した跡がついたとしても、接した跡は照射領域ＴＲの外側であるために、赤外光カット部材７０による赤外光を遮断する機能が損なわれることを防止できる。また、凸部２７を照射領域ＴＲの外側に配置することで、光源４２の発する光が凸部２７に照射されることがないので導光体２２に入射される光の光路が凸部２７によって意図しない光路に変わってしまうことを防止できる。
【００３５】
本実施形態では、凸部２７は係止突起２６の一方側の端面に配置される。また、凸部２７は係止突起２６と一体で成形される。係止突起２６は係止溝３５に係止する部位であるため、光源４２が発する光の照射領域ＴＲの更に外側に位置する。このように、凸部２７を係止突起２６の端面に配置することで、更に赤外光カット部材７０による赤外光を遮断する機能が損なわれることを防止できる。
【００３６】
なお、凸部２７は係止突起２６の一方側の端面に配置される場合に限られず、導光体２２の入射面２３に配置してもよい。ここで、凸部２７を導光体２２の入射面２３に配置するように変更した第１の実施形態の変形例について説明する。
図８は、第１の実施形態の変形例を示す図である。図８に示すように、変形例の導光体８０は、係止突起２６を省略した構成である。凸部２７は導光体２２の一方側の端面であって入射面２３に配置される。ただし、この場合であっても、凸部２７は導光体２２の一方側の端面のうち照射領域ＴＲの外側に配置される。したがって、導光体２２と赤外光カット部材７０とが対向する面同士の照射領域ＴＲの内側に接した跡がつくのを防止することができる。
【００３７】
また、凸部２７は導光体２２に配置する場合に限られず、赤外光カット部材７０のうち導光体２２と対向する面に配置してもよい。また、凸部２７は、導光体２２および赤外光カット部材７０の両方に配置してもよい。この場合でも、凸部２７は光源４２が発光する光の照射領域ＴＲの外側に配置する。したがって、導光体２２と赤外光カット部材７０とが対向する面同士の照射領域ＴＲの内側に接した跡がつくのを防止することができる。
このように本実施形態によれば、導光体２２と赤外光カット部材７０との少なくとも何れか一方の対向する面に、導光体２２と赤外光カット部材７０との対向する面同士が接しないようにするための凸部２７を有する。凸部２７は、光源４２が発する光の照射領域ＴＲの外側に位置している。したがって、導光体２２と赤外光カット部材７０とが対向する面同士の照射領域ＴＲの内側に接した跡がつくのを防止することができる。
【００３８】
（第２の実施形態）
次に、第２の実施形態に係るイメージセンサユニットについて説明する。本実施形態のイメージセンサユニットは、第１の実施形態の導光体２２を導光体９０に変更したものである。なお、その他の構成は、第１の実施形態と同様の構成であり、その説明を省略する。
図９は、本実施形態のイメージセンサユニットを、第１の実施形態の図４と同様な位置で切断した断面図である。ここでは、導光部２１Ａおよび光源部４１Ａ側の構成について説明するが、導光部２１Ｂおよび光源部４１Ｂ側でも同様の構成である。
【００３９】
本実施形態の導光体９０は、導光体９０と赤外光カット部材７０との対向する面同士が接しないようにするための凹部９１を有する。また、凹部９１は、光源４２が発する光の照射領域に位置している。
具体的には、凹部９１は導光体９０の一方側の端面から凹むように形成される。本実施形態では、凹部９１は球の一部の形をした形状（平面視において円弧状）である。すなわち、凹部９１の中心に向かうほど凹みの深さが大きくなる。ただし、この場合に限られず、赤外光カット部材７０に接したときに赤外光カット部材７０に接した跡がつきにくい形状であればよく、例えば、入射面２３と平行な凹状であってもよい。更に、凹部９１が配置される位置は、光源４２が発する光の照射領域の内側である。
【００４０】
図９に示す平面視において、図５と同様に、光源４２が発する光の照射領域をグレーで表すと、略扇状に広がる形状となる。凹部９１は、導光体９０の一方側の端面のうち照射領域と重なるように配置される。ここでは、平面視において、凹部９１の幅方向の長さＷ１が照射領域の幅方向の長さＷ２（照射領域と赤外光カット部材７０の表面と接する長さ）よりも大きく形成される。したがって、導光体９０と赤外光カット部材７０とが相対的に動いたとしても、導光体９０の入射面２３（凹部９１の表面）と赤外光カット部材７０とが接しないために、導光体９０の入射面２３または赤外光カット部材７０に接した跡がつくのを防止することができる。
【００４１】
なお、凹部９１は導光体９０に配置する場合に限られず、赤外光カット部材７０のうち導光体９０と対向する面に配置してもよい。また、凹部９１は、導光体９０および赤外光カット部材７０の両方に配置してもよい。何れの場合であっても、凹部９１は光源４２が発光する光の照射領域に配置する。したがって、導光体９０と赤外光カット部材７０とが対向する面同士に接した跡がつくのを防止することができる。
このように本実施形態によれば、導光体９０と赤外光カット部材７０との少なくとも何れか一方の対向する面に、導光体９０と赤外光カット部材７０との対向する面同士が接しないようにするための凹部９１を有する。凹部９１は、光源４２が発する光の照射領域に位置している。したがって、導光体９０と赤外光カット部材７０とが対向する面同士の照射領域の内側に接した跡がつくのを防止することができる。
【００４２】
（第３の実施形態）
次に、上述したイメージセンサユニット１０を画像読取装置としてのフラットベッド方式のスキャナ１００に適用した構成について図１０を参照して説明する。
図１０は、フラットベッド方式のスキャナ１００の構成の一例を示す斜視図である。
スキャナ１００は、筺体１０１と、被照明体載置部としてのプラテンガラス１０２と、イメージセンサユニット１０と、イメージセンサユニット１０を駆動する駆動機構と、回路基板１０３と、プラテンカバー１０４とを有する。駆動機構は、イメージセンサユニット１０と原稿Ｐとの少なくとも何れか一方を相対的に移動させる移動手段の一例に対応する。プラテンガラス１０２は、ガラス等の透明板からなり、筺体１０１の上面に取り付けられる。プラテンカバー１０４は、プラテンガラス１０２に載置された原稿Ｐを覆うように、筺体１０１に対してヒンジ機構等を介して開閉可能に取り付けられる。イメージセンサユニット１０と、イメージセンサユニット１０を駆動するための駆動機構と、回路基板１０３とは、筺体１０１内に収容される。
【００４３】
駆動機構は、保持部材１０５と、ガイドシャフト１０６と、駆動モータ１０７と、ワイヤ１０８とを含む。保持部材１０５は、イメージセンサユニット１０を囲むように保持する。ガイドシャフト１０６は、保持部材１０５をプラテンガラス１０２に沿って読取方向（副走査方向）に移動可能にガイドする。駆動モータ１０７と保持部材１０５とはワイヤ１０８を介して連結されており、駆動モータ１０７の駆動力によってイメージセンサユニット１０を保持する保持部材１０５を副走査方向に移動させる。そして、イメージセンサユニット１０は、駆動モータ１０７の駆動力によって副走査方向に移動しながら、プラテンガラス１０２に載置された原稿Ｐを読取る。このように、イメージセンサユニット１０と原稿Ｐとを相対的に移動させながら、原稿Ｐを読取る。
【００４４】
回路基板１０３には、イメージセンサユニット１０が読取った画像に所定の画像処理を施す画像処理回路や、イメージセンサユニット１０を含むスキャナ１００の各部を制御する制御回路や、スキャナ１００の各部に電力を供給する電源回路等が構築される。
なお、上述したイメージセンサユニット１０をフラットベッド方式のスキャナに適用する場合に限られず、原稿Ｐを搬送する搬送装置を備えたシートフィード方式のスキャナに適用してもよい。搬送装置は、駆動機構は、イメージセンサユニット１０と原稿Ｐとの少なくとも何れか一方を相対的に移動させる移動手段の一例に対応する。
また、第３の実施形態のフラットベッド方式のスキャナ１００またはシートフィード方式のスキャナを、紙幣、有価証券等の紙葉類の真贋判定を行う紙葉類識別装置（紙葉類読取装置）として機能させてもよい。この場合、スキャナ１００は、予め記憶されている真正な紙幣の画像と読取った紙幣の画像とを比較して、紙幣の真贋を識別する比較部を有する。
【００４５】
また、上述したイメージセンサユニット１０を、フラットベッド方式のスキャナとインクジェット方式のプリンタとが一体となった画像形成装置としての複合機（ＭＦＰ；Ｍｕｌｔｉｆｕｎｃｔｉｏｎ  Ｐｒｉｎｔｅｒ）等に適用してもよい。画像形成装置は、画像を読取る画像読取手段としての画像読取部と、画像を形成する画像形成手段としての画像形成部を有する。画像形成装置の画像読取部には、イメージセンサユニット１０が組み込まれる。なお、画像形成装置の画像読取部は、上述したスキャナと共通の構成が適用できる。画像形成部は、イメージセンサユニット１０が読取った画像を、印刷に適した形式の電気信号に変換する。画像形成部はイメージセンサユニット１０が変換した電気信号に基づいて記録媒体としての印刷用紙Ｒに画像を形成する。なお、画像形成部はインクジェット方式、電子写真方式、熱転写方式、ドットインパクト方式等どのような方式であっても構わない。
【００４６】
以上、本発明を上述した実施形態と共に説明したが、本発明は上述した実施形態にのみ限定されるものではなく、本発明の範囲内で変更等が可能であり、上述した実施形態を組み合せてもよい。
上述した実施形態では、光源部４１Ａ、４１Ｂが光源４２と光源基板４７とを有する場合について説明したが、この場合に限られない。例えば、光源部４１Ａ、４１Ｂは、光源基板４７を備えず、筐体４４から直接、センサ基板６２に接続するためのピン状の端子を有するＬＥＤパッケージを適用してもよい。
【００４７】
上述した実施形態では、導光ユニット２０が２つの導光部２１Ａ、２１Ｂを有する場合について説明したが、この場合に限られず、１つの導光部を有する場合であってもよく、３つ以上の導光部を有する場合であってもよい。また、光源ユニット４０が２つの光源部４１Ａ、４１Ｂを有する場合について説明したが、この場合に限られず、１つの光源部を有する場合であってもよく、３つ以上の光源部を有する場合であってもよい。
上述した実施形態では、光源４２の収容部４５の開口縁が矩形状である場合について説明したが、この場合に限られず、矩形状以外の形状であって、例えば円形等であってもよい。光源４２の収容部３６の開口縁が円形の場合には、立体的な照射領域を導光体２２の一方側の端面に投影させたときには投影された照射領域の形状も円形となる。
【符号の説明】
【００４８】
１０：イメージセンサユニット  １１：フレーム  ２２：導光体  ２３：入射面  ２４：出射面  ２６：係止突起  ２７：凸部  ３０：導光体カバー  ３５：係止溝  ３６：収容部  ４２：光源  ４３：ＬＥＤチップ  ４４：筐体  ４５：収容部  ４６：封止樹脂  ７０：赤外光カット部材  ６０：集光体  ６２：センサ基板  ６５：イメージセンサ  ７１：基材  ７２：蒸着膜  ９０：導光体  ９１：凹部
【図１】
2019029852.tif 000003
【図２】
2019029852.tif 000004
【図３】
2019029852.tif 000005
【図４】
2019029852.tif 000006
【図５】
2019029852.tif 000007
【図６】
2019029852.tif 000008
【図７】
2019029852.tif 000009
【図８】
2019029852.tif 000010
【図９】
2019029852.tif 000011
【図１０】
2019029852.tif 000012